(57)【要約】【課題】  操作専用の手袋を用意しなくとも、静電容量式タッチパネルの電子機器の操作が可能であり、また、タッチパネルに付着した汚れの問題も解決できる手段を提供することにある。【解決手段】  導電性を有する糸を含む布帛と、該布帛の裏面に積層されてなる着脱機能層とから構成されることを特徴とするタッチパネル式画面操作用ボタン。  導電性を有する糸の電気抵抗値が１×１０９Ω／ｃｍ以下であることが好ましい。  着脱機能層が、発泡樹脂により構成されることが好ましい。【選択図】  なし【特許請求の範囲】
【請求項１】
導電性を有する糸を含む布帛と、該布帛の裏面に積層されてなる着脱機能層とから構成されることを特徴とするタッチパネル式画面操作用ボタン。
【請求項２】
導電性を有する糸の電気抵抗値が１×１０９Ω／ｃｍ以下であることを特徴とする請求項１記載のタッチパネル式画面操作用ボタン。
【請求項３】
着脱機能層が、発泡樹脂により構成されることを特徴とする請求項１または２記載のタッチパネル式画面操作用ボタン。
【請求項４】
布帛は、非導電性を有する糸を含み、該非導電性を有する糸が、複数の極細繊維によって構成されることを特徴とする請求項１〜３のいずれか１項記載のタッチパネル式画面操作用ボタン。
【発明の詳細な説明】
【技術分野】
【０００１】
本発明は、静電容量式タッチパネルを操作する際に用いるボタンに関する。
【背景技術】
【０００２】
近年、液晶ディスプレイなどの表示部分にタッチパネルを搭載し、指で操作することができる携帯電話や携帯情報端末（タブレット端末）の普及が進んでいる。そして、このようなタッチパネル式機器は、静電容量式タイプのものが多い。静電容量式タイプとは、ディスプレイ表面の任意の箇所を指先でタッチすると、タッチした箇所での静電容量の変化を捉えることによって位置を検出し、動作するものである。このタイプでは、ディスプレイ表面の任意の箇所を押さえる場合には、指あるいは指と同等の静電的な導電性のものである必要がある。
【０００３】
したがって、静電容量式タイプのタッチパネル式機器の操作において、手に手袋着用の状態では、手袋を介するため、タッチパネル式携帯電話などの機器を操作することはできない。例えば、冬季の寒い屋外や、夏季等の紫外線の強い時期の屋外等において、手袋を着用することが多いが、手袋着用のままでは操作できず、操作時には一旦手袋を外して操作するか、指先部分が欠いた手袋を着用する必要がある。
【０００４】
すなわち、手袋を構成する一般の編糸は絶縁体に近い物性を有しているために、タッチパネルの所定部を手袋装着状態にて指先で押しても、編糸は通電しないために静電容量は検知されない。よって、従来から一般に用いられてきた綿、羊毛、化繊等のみで作られた手袋を装着したままでは、タッチパネルのタッチ部の静電容量が変化しないために、結果としてタッチパネルの操作ができない。したがって、手袋を装着したままではタッチパネルを操作することができないため、操作を行うたびに手袋の脱着を繰り返さなければならず煩雑である。
【０００５】
このような問題を解消する方法として、着用した状態であっても、静電容量式のタッチパネルの操作が可能な手袋として、親指袋部及び人差指袋部等の各先端部のみを導電繊維で編成し、残りの全ての部分を一般の編成糸で編成された手袋が提案されている（特許文献１、特許文献２）。しかしながら、使用者は既存の手袋以外にさらに当該手袋を操作用に購入しなければならないということや、導電繊維と一般の編成糸で構成されることによる意匠性が制約されることとなり、使用者の嗜好が反映できないという問題が内在する。
【０００６】
また、タッチパネル等の画面は指等で直接触れることにより画面操作することが通常であるため、皮脂等の汚れが画面に蓄積されていくという別の問題もある。
【先行技術文献】
【特許文献】
【０００７】
【特許文献１】特開２００８−８１８９６号公報
【特許文献２】実用新案第３１６０２１１号公報
【発明の概要】
【発明が解決しようとする課題】
【０００８】
本発明の課題は、上記の状況に鑑み、操作専用の手袋を用意しなくとも、静電容量式タッチパネルの電子機器の操作が可能であり、また、タッチパネルに付着した汚れの問題も解決できる手段を提供することにある。
【課題を解決するための手段】
【０００９】
本発明は、上記の課題を解決できるものであり、導電性を有する糸を含む布帛と、該布帛の裏面に積層されてなる着脱機能層とから構成されることを特徴とするタッチパネル式画面操作用ボタンを要旨とする。
【００１０】
以下、本発明を詳細に説明する。
【００１１】
本発明のタッチパネル式画面操作用ボタンは、導電性を有する糸を含む布帛を有する。導電性を有する糸を含む布帛を用いることにより、手袋着用の状態において、指先に、本発明の操作用ボタンを取り付けてタッチパネルに触れると、通電して静電容量が検知されて操作可能となるのである。
【００１２】
導電性を有する糸としては、糸表面に銅、銀やニッケル等の金属をメッキや蒸着させたものや、糸に金属化合物を含浸させたものが挙げられる。また、糸を構成する繊維として、導電性繊維を用いることが挙げられる。導電性繊維としては、カーボンブラック、金属（例えば、銅や銀）、金属酸化物等の導電物質を含有させた繊維、繊維表面に前記した金属をメッキや蒸着させた繊維、また、金属繊維や炭素繊維、イオン導電性ポリマーからなる繊維等の導電性材料からなる繊維が挙げられる。
【００１３】
本発明に用いられる導電性を有する糸の電気抵抗値は、１×１０９Ω／ｃｍ以下であることが好ましい。電気抵抗値が１×１０９Ω／ｃｍ以下とすることにより、通電性が良好となり静電容量の変化を検知しやすく、タッチパネルでの操作性が良好となる。
【００１４】
本発明において、電気抵抗値は、ＡＡＴＣＣ７６法に準じて以下のように測定する。すなわち、導電性の糸（ここで、糸が複数の繊維により構成されるものではなく、１本の繊維により構成される場合は、導電性の繊維１本を測定し、得られた値を導電性の糸の電気抵抗値とみなす。）を長さ方向に１５ｃｍ程度にカットして、１０サンプルを採取する。このサンプルの両端の表面にケラチンクリームを塗布し、この表面部分を金属端子に接続し、試料測定長１０ｃｍにて、５０Ｖの直流電流を印加して電流値を測定し、下記式で電気抵抗値を算出する。算出した１０個のサンプルの電気抵抗値の相加平均値とする。
電気抵抗値＝Ｅ／（Ｉ×Ｌ）
ただし、Ｅ：電圧（Ｖ） Ｉ：測定電流（Ａ） Ｌ：測定長（ｃｍ）
【００１５】
本発明における布帛の形態は、特に限定されず、織物、編物、不織布等が挙げられる。
布帛は、前記した導電性を有する糸以外の非導電性繊維や非導電性糸を含まれてもよい。導電性を有する糸以外の非導電性繊維の含有率としては、導電性を有する糸の機能を保持させることを考慮すれば、布帛全体の質量に対して多くとも６０質量％程度とする。非導電性繊維としては、ポリエステル、ナイロン、ビニロン、ポリオレフィンなどの合成樹脂からなる合成繊維や、綿、麻、竹繊維、ビスコースレーヨン、キュプラ、溶剤紡糸セルロース繊維などのセルロース系繊維が挙げられる。また、合成繊維においては、２種の重合体からなる複合繊維であってもよい。
【００１６】
また、布帛を構成する繊維として、拭き取り機能を有する繊維を採用することも好ましい。これにより本発明の操作用ボタンは、操作機能を発揮するボタンとしての役割に加え、タッチパネルに付着している皮脂等の汚れを拭き取る機能も付加することができる。拭き取り機能を有する繊維としては、単糸繊度が１デシテックス以下の極細繊維が好ましい。また、断面形状は、楔形や三角形の形状である異形断面のものが好ましい。このような拭き取り機能を付加することを考慮すれば、拭き取り機能を有する繊維は、布帛全体の質量に対して、２０質量％以上含有させることが好ましい。
【００１７】
該導電性を有する糸と、非導電性繊維とを布帛に含有させる形態としては、例えば、織編物を構成する際に、導電性を有する糸と非導電性繊維からなる糸とを用い、それぞれの糸を単独で交織、交編させて行う方法がある。また、糸加工の段階で、該導電性を有する繊維と非導電性繊維とを合撚、混繊等により複合加工糸を得、この複合加工糸を用いて織編物を構成する等の方法を用いることができる。また、布帛が不織布の場合は、導電性を有する繊維と非導電性繊維とを混合したウェブを用いて不織布としたり、非導電性繊維からなる不織布に導電性を有する糸を用いてステッチしたり、非導電性繊維からなる不織布に導電性を有する糸を縫い付けること等が挙げられる。織編物の組織としては、特に限定されるものではなく、織物の場合、例えば、平織、綾織、朱子織、絡み織等が採用でき、編物の場合、例えば、丸編、緯編、経編等が採用できる。
【００１８】
本発明においては、上記した導電性を有する糸を含む布帛の裏面に着脱機能層が積層されている。着脱機能層は、対象物に直接的に取付や貼付ができ、また、取付けた状態から、容易に取り外すことが自在にできるものであり、このような機能を有するものであれば、素材は特に限定されるものではないが、粘着性や吸着性を有する樹脂層を好ましく用いることができる。粘着性や吸着性を有する樹脂層を用いると、対象物を傷付ける恐れもない。対象物に貼りつけることができる程度の粘着性や吸着性を有する公知の樹脂層が使用可能であり、例えば、発砲アクリル樹脂や発泡ポリウレタン樹脂からなる層が挙げられる。発砲アクリル樹脂層や発泡ポリウレタン樹脂層は、発泡剤を含むアクリル樹脂もしくはポリウレタン樹脂を布帛に塗布し、該塗布物を加熱して発泡剤を発泡させることによって得ることができる。着脱機能層の厚みは、通電性を考慮して、１０〜５００μｍ程度がよい。また、着脱機能層を構成する樹脂には、通電性を良好にするための材料、すなわち、カーボンブラック、銅や銀等の金属、金属酸化物等の導電物質を少量含ませてもよい。
【００１９】
上記した導電性を有する糸を含む布帛の裏面に着脱機能層を有するタッチパネル式画面操作用ボタンは、必要の際に、手袋を着用してなる指先に着脱機能層を介して取付け、画面操作を行い、画面操作が終了すれば、指先に取付けたタッチパネル式画面操作用ボタンを剥せばよい。剥した操作用ボタンは、端末表側の端の部分や、端末の裏面や側面等に貼り付けて、端末と一体化させて保持すればよく、また、必要時に剥して指先に取付け操作するということを繰り返すことができる。本発明のタッチパネル式画面操作用ボタンは、着脱機能層を有するため、必要に応じて、手袋着用のまま指先への着脱を繰り返し容易に行うことができ、便利このうえないものである。
【００２０】
本発明のタッチパネル式画面操作用ボタンの大きさは、適宜設定すればよく、指先に取付けて使用することを考慮すれば、直径約１ｃｍ程度のものがよい。また、タッチパネル式画面操作用ボタンの形も、適宜設定すればよく、円形に限らず、四角形や三角形、また、アルファベット文字型、星型、花型、ハート型等、嗜好に応じて決めればよい。本発明のタッチパネル式画面操作用ボタンは、携帯電話等のモバイル機器に使用するにあたり、特に好適である。また、車に搭載してなるタッチパネル方式のカーナビゲーションを操作する際にも、手袋を着用のまま操作可能となるため、好適である。
【発明の効果】
【００２１】
本発明は、既存の手袋に簡便に着脱することが可能であり、既存の手袋を着用した状態で静電容量式タッチパネルの電子機器を操作することが可能である。また、タッチパネルに付着した汚れ、水滴等も付加的に拭き取りこともでき、全く新しい発想によるタッチパネル式画面操作用ボタンを提供することができる。
【実施例】
【００２２】
次に、実施例に基づき本発明を具体的に説明するが、本発明は、これらの実施例のみに限定されるものではない。
また、導電性を有する糸の電気抵抗値は、上記した方法により測定する。
【００２３】
実施例１
アクリル短繊維の表面に銅をメッキして得られた導電性を有する繊維からなる紡績糸(綿番手４０/−、電気抵抗値は２．６×１０６Ω／ｃｍ)と、ポリエチレンテレフタレートを溶融紡糸して得られた略正三角形断面を有する極細異形フィラメントからなるマルチフィラメント糸（１２２デシテックス／３８４フィラメント）に仮撚加工を施した糸との２本を引き揃え、丸編機に供給し、スムース編みにて製編し、導電性を有する糸と非導電性の糸の質量比率が５５／４５の編物を得た。
【００２４】
次に、得られた編物の裏面に発泡剤を含むアクリル樹脂を片面に塗布し、加熱発泡により、粘着性および吸着性を有する発泡アクリル樹脂層（着脱機能層）を得た。着脱機能層の厚みは、１５０μｍであった。このようにして得られた布帛と着脱機能層とが積層されてなるシートを直径１０ｍｍの円形状となるようにトムソン刃で打ち抜き、本発明のタッチパネル式画面操作用ボタンを得た。
【００２５】
実施例２
互いに非相溶性を呈する重合体であるポリエチレンテレフタレートとナイロン６（融点２２５℃、相対粘度２．５５）とが放射状に互い違いに配列して割繊型複合断面となる紡糸口金を用いて溶融紡糸したマルチファイラメント糸(８０デシテックス／３６フィラメント)を織物の経糸に用い、実施例１で用いた導電性を有する紡績糸を緯糸に用いて、ウォータージェットルームにより、経密度２５３本／２．５４ｃｍ、緯密度８８本／２．５４ｃｍの５枚朱子織物を製織し、導電性を有する糸と非導電性の糸との質量比率が、４０／６０の織物を得た。
【００２６】
次に、得られた編物の裏面に発泡剤を含むアクリル樹脂を片面に塗布し、加熱発泡により、粘着性および吸着性を有する発泡アクリル樹脂層（着脱機能層）を得た。着脱機能層の厚みは、３００μｍであった。このようにして得られた布帛と着脱機能層とが積層されてなるシートを直径１０ｍｍの円形状となるようにトムソン刃で打ち抜き、本発明のタッチパネル式画面操作用ボタンを得た。
【００２７】
実施例１および実施例２で得られたタッチパネル式画面操作用ボタンは既存の手袋に貼りつけ易く、タッチパネルの操作性も良好で、汚れ等の蓄積を抑制することができた。